(57)【特許請求の範囲】
【請求項１】
第1の構成要素としての周期的な表示を有する回転可能な実質的に円形の一方向ノブであって、回転可能なノブが実質的に等間隔にされた複数のノッチを有するノッチ付きスカートで囲まれ、前記回転可能なノブは複数のラチェット停止部のあるラチェット軌道を有しこれにより前記ラチェット停止部の各確実な組合がノッチ付きスカートの各ノッチの1個の空間に相当する一方向ラチェット手段を有する前記回転可能なノブ；
第2の構成要素としての、単一錠剤分配用開口と内部のカップ部分を形成するようにここから突き出ている上昇壁部分とを有する実質的に平坦な支持体であって、前記回転可能なノブを前記平坦支持体に回転可能に連結する第1の組合用手段、前記回転可能なノブが円形状に回転する中心の固定中心軸手段、及び前記一方向ラチェット手段が挿入されてこれと共に機能的システムを形成する第2の組合用手段を有する実質的に平坦な支持部；及び
ノッチ付きスカートと確実に組み合う手段により回転可能なノブ上に適合するようにされた分離しかつ除去可能な錠剤包装である第３の構成要素であって２個の構成要素は調和して回転し、前記錠剤包装は複数の潰れ得る錠剤ポケットを有しその各が包装のまわりに実質的に円形に配置された錠剤を収容しこれにより錠剤ポケットの間隔はラチェット手段の各段階に相当し、これによりラチェット式の回転可能なノブの各段階の確実な組合ごとに新しい錠剤が錠剤分配用開口の上方に置かれ、前記錠剤ポケットは前記ポケットと支持体の単一錠剤分配用開口との間に挿入された破り得る膜により覆われ、これにより前記開口と揃ったポケットを潰すことにより前記錠剤を強制して前記膜を破らせかつ前記開口を通過させることにより錠剤が包装から分配される錠剤包装
を備えた錠剤ディスペンサー構成要素システム。
【請求項２】
第１の構成要素としての、内部の単一錠剤分配用開口及びコップ状の内部を定めて立っている周囲壁部分を有する平坦支持体；
第２の構成要素としての、平坦支持体の中心に連結され軸を定めている旋回軸、
第３の構成要素としての、錠剤に対応して上部に周期的にマークされた表示のある頂面、回転力を加えるための握り用手段、及び旋回軸を囲むように寸法の決められた中央円孔を有する回転可能なノブ；
第４の構成要素としての、回転可能なノブを平坦支持体に同軸で回転可能に連結するための第１の連結用手段；
第５の構成要素としての、開口と周期の表示とに一致し対応してノブを軸まわりに間欠的に一方向前進させる手段；
第６の構成要素としての、軸線からの開口の距離に相当した半径方向距離において包装のまわりに円形に配置され破り得る蓋をされた潰れ得る複数の錠剤ポケット内に錠剤を収容しておりかつ回転可能なノブを囲む寸法にされた中央穴を有するハウジングを有する円形の錠剤包装；
第７の構成要素としての、錠剤包装を平坦支持体に対して方向を決め、これにより第１の錠剤を開口の上方に置きかつ平坦支持体に対する錠剤包装の方向付けの誤りを防止する手段；及び
第８の構成要素としての、ノブのいかなる初期設定に対しても錠剤包装が平坦支持体上に装填されたときノブに加えられた回転力が錠剤包装に伝達されるように錠剤包装を回転可能なノブに連結するための第２の連結用手段であって、潰れ得る錠剤ポケットを潰して破り得る蓋を通して開口内に通過するように錠剤を強制することによって一回に一個の錠剤を錠剤ディスペンサーから分配する目的で、周期の指示に従い指示された順序で間欠的な一方向前進手段により錠剤包装を進めてこれにより処方の各錠剤を開口と一致させる方法を提供する前記第2の連結用手段
を備えた指定順序で指示の錠剤を分配するための錠剤ディスペンサーシステム。
【発明の詳細な説明】
【０００１】
【産業上の利用分野】
本発明は、指定された周期的な錠剤処方の可変の開始日に適合し得る実質的に円形の錠剤ディスペンサー構成要素システムに関する。また、錠剤ディスペンサーキット、錠剤ディスペンサーシステムを充填するにようにされた錠剤包装、本発明の錠剤ディスペンサーの充填方法、及び本発明の錠剤ディスペンサーシステムを使用した指定された薬物服用処方の管理方法にも関する。
【０００２】
【従来技術及びその課題】
医薬及びその他の薬剤製品は、患者に対して時間に関連し又は計画された時間割で使用するように指示されることが多い。周期の設定された処方で指示される錠剤又はピルの例は、避妊用、血圧調節用、血中脂質調整用、抗生物質、及び糖尿病のようなその他の種々の滋養物による治療用の経口投与に適した錠剤又はピルを含む。かかる長期間の周期的服用は、予防医療（例えば血圧調整又は避妊）、又は慢性糖尿病の治療用に特に適し、これらは総て比較的長期間の治療を必要とする。
【０００３】
錠剤又はピルのような固形製剤の形で提供される薬品の量は、服用すべき量を混乱なしに、又は混乱が僅かであるように各錠剤が一定量の薬品を含むように本質的に管理される。錠剤を指示された量及び時間で服用したか否かのような患者の不明確、失念及び／又は混乱に基づく医薬服用の変動が常にではないにしてもしばしばある。服用が１日に何回も繰り返されるとき、又は多種の薬物が指示されたとき、又は薬物を数週間から数年に至る長期間にわたって服用するとき、この問題は複雑化する。この問題は、老齢者、慢性の病人（弱った状態にある可能性がある）、及び避妊又はホルモン補欠療法のような長期間の処置を受ける元気な人の大部分に当てはまる。
【０００４】
混乱、不明確又は失念の結果として、患者は、事実上、指示された指定の服用量より多いか又は少なく服用して、不注意により予定の治療計画を変更する可能性がある。指定された療法の最大の効果を保証するためには、毎日１回、日に数回の服用、又はもっと少ない服用のための指示された時間割りの堅持について患者を支援するであろうディスペンサーを提供することが望ましい。
【０００５】
錠剤ディスペンサー或いは錠剤又はピルのような固形の医薬製剤を手順に関連した期間中、分配する装置が知られている。かかる錠剤ディスペンサーの例が、曜日を記載した指示器の提供により予定の基準で、例えば日を基準として錠剤を服用することを使用者に許すディスペンサーを提供する米国特許第４１６５７０９号に開示される。この特許の開示は参考文献としてここに組み入れられる。この装置においては、特別な曜日を予め設定するために利用できる設備であって異なったピルからなる処方の第１のピルが簡単かつ有用な方法で服用される設備はない。例えば、指示用手段が調節可能でなくかつ異なったピルを含んだ服用指示の最初のピルが日曜日のような週の特定に日に取り出され、かつ使用者が月曜日に薬物治療を指示されるならば、使用者は月曜日から次の日曜日までの期間は危険にさらされるであろう。各曜日の出発を含んだ７種の異なったディスペンサーの製作が、この問題の非実用的な解決ではあるが可能である。
【０００６】
米国特許第４９１５２５６号、第４６４６９３６号及び第４６６７８４５号のようなその他の特許は、特定のピルを服用すべき時を指示できる日付け指示器を提供しかつ使用者が選定した適宜の日に服用を開始するように予め設定できる種々のピルディスペンサーを明らかにする。かかるピルディスペンサーは、ピルを所定の日に分配する手段により、適宜の日に指示された服用を開始させる望ましい目的を達成したが、これらは種々の理由から完全には実用的でない。これら装置は、使用が複雑か又は再充填が困難かのいずれかである。例えば、円形のピルディスペンサーの反時計方向の回転は使用者には分かり難くかつ不自然である。即ち、誤って手順を欠落させる可能性のある複数段階を要する設計は患者に混乱又は失敗を与え及び／又は使いにくい包装をもたらし、これにより指定された最初のピルがディスペンサーの希望の最初の位置に提供されない可能性がある。
【０００７】
従って、本発明の目的は、使用が簡単かつ直感的であり、患者／消費者が容易に再充填でき、かつ比較的フールプルーフ、即ち使い易さを保証しかつ不注意による過ちを防止する錠剤分配用の特殊な設計を提供する。更に、本発明は、高度の信頼性を有すると同時に任意の開始日の特徴を提供する一貫した方法でピルの指示された服用を提供し得る分配システムの提供を意図する。本発明の追加の目的及び特徴は、以下の説明において部分的に説明され、かつ部分的に説明より明らかになり、或いは本発明の実行により学習されるであろう。本発明の目的及び利点は実施態様に特に説明された装置の手段、組合せ、及び方法により実現されかつ得られた。
【０００８】
【課題を解決するための手段】
本発明の目標及び目的を達成するために、ここに具体化されかつ完全に説明されるように、本発明は、第１の構成要素として周期的な表示を有する回転可能な実質的に円形の一方向ノブを備えた錠剤ディスペンサーを提供する。回転可能なノブは実質的に等間隔に配された複数のノッチを有するノッチ付きスカートで囲まれる。
【０００９】
第２の構成要素は、錠剤１個分の分配用開口、及び内部のカップ部分を形成するようにここから突き出ている上昇壁部分を有する実質的に平坦な支持部を備える。第３の構成要素は、平坦支持体と組み合わせられかつここに固定された中心軸手段を備える。第２の組合用手段は中心軸手段のまわりに円形状の回転可能なノブを一方向に回転させるための回転可能なノブを有する機能的システムを形成するために一方向ラチェット手段を備える。
【００１０】
回転可能なノブ及び平坦支持体又は中心軸手段のいずれかがノッチ付きスカートの１段階又はノッチに対応するラチェット停止部を複数個備えた一方向ラチェット手段を持つ。好ましい実施例においては、ラチェット手段はラチェット軌道及び各ラチェット停止部にを設けるように軌道内に確実に組み合うためのばね爪を備える。軌道及び爪は、回転可能なノブ及び固定の中心軸又は平坦支持体にこれらを置くことができる。例えば、回転可能なノブに軌道を置くことができ、また平坦支持体又は軌道上の回転可能なノブの下方に置かれたばね爪を中心軸手段上に置きかつばね爪を回転可能なノブ上に置くことができる。
【００１１】
システムの第４の構成要素は、２個の構成要素が調和して回転するようにノッチ付きスカートと確実に組み合う手段により回転可能なノブ上に適合するようにされた分離式で除去可能な錠剤包装を備える。錠剤包装は、各が実質的に円形に包装のまわりに配列された錠剤を収容している複数の潰れ得る錠剤ポケットを備える。錠剤ポケットの間隔はラチェット手段の各停止部に相当し、これにより新しい錠剤は、ラチェット付きの回転可能なノブの各停止部の確実な掛合の際に錠剤分配用開口の上方に置かれる。錠剤ポケットはポケットと支持体の単一錠剤分配用開口との間に差し込まれた破り得る膜で蓋をされる。開口と揃ったポケットを潰しこれにより錠剤を強制して膜を破らせかつ開口を通過させることにより錠剤が包装から分配される。潰れ得る錠剤ポケットは、実質的に円形、非円形又はキャプレット状の錠剤を受け入れるように形成される。好ましい実施例においては、錠剤包装は実質的に強固な又は剛のプラットフォーム片に固定され、このプラットフォーム片は錠剤包装に対応する複数の錠剤開口を備え、その内部の１個又は２個、好ましくは２個のスプロケットラグがノッチ付きスカート内に確実に適合しかつ組み合う。
【００１２】
本発明の錠剤ディスペンサーの好ましい実施例においては、実質的に平坦な支持体及び平らな支持ベースから立ち上がっている壁部分により形成された内部カップ部分に、錠剤包装を支持しかつ一方向ラチェット式の回転可能なノブの第１段階の組合の際に定位置の錠剤包装と組み合う手段が設けられる。錠剤包装は、ラチェット式の回転可能なノブの完全な１回転が完了したときに、これを支持手段から外すことができる。特に好ましい実施例においては、回転可能なノブは固定中心軸のまわりを時計方向で１方向に回転し得る日付けリングを備え、かつノッチ付きスカートがその回転可能なリング部分に取り付けられる。固定中心軸は、その上に、平坦な支持要素の単一錠剤分配用開口に揃えられた表示マークを持つことが好ましい。
【００１３】
本発明の別の好ましい実施例においては、錠剤包装は、回転可能なノブ上に適合したときノッチ付きスカートの少なくも２個のノッチと確実に組み合う少なくも２個の相補的な突起を持つ。好ましい実施例においては、潰れ得る錠剤ポケットは実質的円形、非円形又はキャプレット状の錠剤を受け入れるように形成される。
【００１４】
本発明の特に好ましい実施例においては、実質的に平坦な支持体は、上昇壁部分から突き出している少なくも２個、好ましくは３個の内向きに伸びた突起の設置により錠剤包装を受け入れその方向を決めかつこれと組み合うようにされる。突起の形状と方向とは錠剤包装の少なくも２個、好ましくは３個の相補的な凹所に相当し、これにより、錠剤包装の少なくも２個の相補的な凹所に相当した突起の形状と方向とが平坦支持体のまわりの錠剤の方向の１カ所の初期位置における錠剤包装の平坦支持体上への受入れを許す。指定された錠剤が初期錠剤位置の錠剤分配用開口の上方に置かれ、更に回転可能な日付けノブの１段前進に先行する最初の錠剤の分配の際に錠剤包装がベース上に組み合わせられ、これにより錠剤包装は突起の下に重なりかつこれにより定位置に保持される。従って、ノブの完全な１回転により錠剤包装が最初の錠剤位置に戻されるまでは前記錠剤包装を外し又は取り出すことができない。
【００１５】
特に好ましい実施例においては、内向きに伸びている突起は、実質的に平坦な支持体への包装受け入れ、及び初期錠剤位置以外の総ての位置における錠剤包装の外し、排出又は除去を阻止するように空間的に、好ましくは非対称的に並べられる。更に、内向きに伸びている突起は、最初の錠剤位置においてのみ相補的なノッチ付き錠剤包装を受け入れ又は外すように配列され、かつ形状又は寸法が決められることが好ましい。
【００１６】
本発明のシステムの好ましい実施例においては、回転可能なノブには少なくも１組の１週間７日分の曜日のマークが付けられ、前記マークの各は、平坦支持体に組み合わせられたとき、示された曜日に相当する錠剤包装の１個の錠剤位置に向けられる。回転可能なノブの確実な組合段階の次の曜日への各前進ごとに、指示曜日に相当する１個の錠剤が平坦支持体の単一錠剤分配用開口の上方に供給される。回転可能な日付けノブは、回転可能なノブ上の少なくも３組の７個の像の形で曜日が設けられることが好ましい。支持マークに関する日付けノブのいかなる設定も包装を設定する予定の開始日を構成することができる。
【００１７】
好ましい実施例においては、錠剤ディスペンサーシステムは、支持ベース上に適合して閉鎖された小型包装を提供する蓋又はカバーを備える。好ましくは、蓋及び支持体は非使用時に小型包装を閉鎖位置に組み合わせるための組合手段を持つ。
【００１８】
別の実施例においては、本発明は、指示された薬剤の周期的服用方法に従って予め設定された指示の方向の指定された薬剤で満たされた錠剤ディスペンサーを備えた特別な処方の薬剤又は錠剤のディスペンサーキットを提供する。特に好ましい実施例では、医薬は指示された服用方法で提供される経口避妊薬又はホルモン補欠剤である。別のキットの実施例では、システムの再充填可能な特徴に注意が向けられる錠剤包装は分配容器とは別の構成要素として与えられる。
【００１９】
本発明は、また、本発明の錠剤ディスペンサーシステムの利用を含んだ決められた指示の医用錠剤の服用方法も提供し、これにより、内部に配置された錠剤、及び各錠剤位置への曜日の指向が決められた指示に適合する。好ましくは、決められた指示は経口避妊又はホルモン補欠治療を提供する。
【００２０】
本発明は、本発明の錠剤ディスペンサーシステムを受け入れかつこれに使用するようにされた錠剤包装も提供し、これは錠剤ディスペンサーシステムを再充填することができる。
【００２１】
更に、錠剤包装の少なくも２個の凹所と錠剤ディスペンサーの実質的に平坦な支持体の上昇壁部分から突き出している少なくも２個の内向きに伸びている相補的な突起とを揃え；更に錠剤包装を実質的に平坦な支持体上に置く諸段階を含んだ本発明の錠剤ディスペンサーシステムの充填又は再充填の方法が提供される。
別の実施例においては、曜日マークの付けられた回転可能なノブを初期錠剤位置で希望の開始曜日と揃うように回転させ；錠剤包装の少なくも２個の凹所と実質的に平坦な支持体の上昇壁部分から突き出した少なくも２個の内向きに伸びている相補的な突起とを揃え；更に前記錠剤包装を実質的に平坦な支持体の上に置く諸段階を含んだ本発明の錠剤ディスペンサーシステムの充填方法が提供される。
【００２２】
別の実施例においては、初期錠剤位置に置かれた最初の錠剤を分配し、錠剤ディスペンサー内の錠剤包装と確実に組み合うために回転可能なノブを翌日に１段階回転させ、これにより回転可能なノブの全回転が完了するまで包装の外れを阻止する継続諸段階が提供される。別の実施例においては、錠剤包装は、錠剤ディスペンサーシステムの平坦支持体上の可動の保持用ラグにより装填位置に留められる。
【００２３】
更に別の実施例においては、錠剤ハウジングは、プラットフォームに取り付けられ、ハウジングの穴を通してねじ止めされ、リベット状に折り返された複数のポストにより接合される。プラットフォームは、再使用のため無機能化しかつリサイクルのために分離可能とするために錠剤ハウジングの取出しの際に離れるように設計される。
【００２４】
本発明の別の実施例においては、
複数の順次配列された潰れ得る錠剤ポケットを有し、その各が実質的に円形に包装のまわりに配列された錠剤を有し、錠剤包装はリング状円形包装の外周の回りの少なくも２個の非対称に間隔を空けられたノッチを有する円形の錠剤包装；
内部の単一錠剤分配用開口、及び確実な組合のただ１カ所においてのみ錠剤包装を受け入れるように形状、寸法又は方向が定められた少なくも２個の突起を備え、これにより錠剤包装の示された錠剤が単一錠剤分配用開口の上方に提供されるベース支持体；
ベース支持体の中心軸部分を回ってベース上に設置された支持体まわりの円形錠剤包装を回転させ錠剤包装の連続配置された錠剤ポケット内の錠剤を錠剤分配用開口の上方に置く手段；及び
錠剤包装からの錠剤の最初の分配の際に錠剤包装をベース支持体上に確実に組み合わせかつ錠剤包装の回転が順次配列された次の錠剤ポケットを錠剤分配用開口の上方に動かす手段
を備えた錠剤ディスペンサー要素システムが提供される。
【００２５】
本発明の別の実施例においては、
第１の構成要素としての、内部の単一錠剤分配用開口及びコップ状の内部を定めて立っている周囲壁部分を有する平坦支持体；
第２の構成要素としての、平坦支持体の中心に連結され軸を定めている旋回軸、
第３の構成要素としての、錠剤に対応して上部に周期的にマークされた表示を有する頂面、回転力を加えるための握り用手段、及び旋回軸を囲むように寸法の決められた中央円孔を有する回転可能なノブ；
第４の構成要素としての、回転可能なノブを平坦支持体に同軸で回転可能に連結するための第１の連結用手段；
第５の構成要素としての、開口と周期的な表示とに一致し対応してノブを軸まわりに間欠的に一方向前進させる手段；
第６の構成要素としての、軸線からの開口の距離に相当した半径方向距離において包装を囲んで円形に配置されかつ回転可能なノブを囲む寸法にされた中央穴を有する破り得る蓋をされた潰れ得る複数の錠剤ポケット内に錠剤を収容しているハウジングを有する円形の錠剤包装；
第７の構成要素としての、錠剤包装を平坦支持体に対して方向を決め、これにより第１の錠剤を開口の上方に置きかつ平坦支持体に対する錠剤包装の方向付けの誤りを防止する手段；及び
第８の構成要素としての、ノブのいかなる初期設定に対しても錠剤包装が平坦支持体上に装填されたときノブに加えられた回転力が錠剤包装に伝達されるように錠剤包装を回転可能なノブに連結するための第２の連結用手段であって、包装に置かれた潰れ得る錠剤ポケットを潰して錠剤が錠剤ディスペンサーから破り得る蓋を通して開口内に通過するように錠剤を強制するときに単数錠剤を分配する目的で、錠剤包装を進めてこれにより処方の各錠剤を対応している周期的な指示の伴う指示された順序で提示させかつ間欠的な一方向前進手段により開口と一致させる方法を提供する前記第２の連結用手段
を備えた指定順序で指示の錠剤を分配するための錠剤ディスペンサーシステムが提供される。
【００２６】
本発明は、本発明の錠剤ディスペンサーシステム内に置くようにされた錠剤包装も提供する。好ましい実施例においては、錠剤包装は、その中央に穴を、またその外周にノッチを有し、このノッチは、錠剤包装用のベース支持体上に置かれるような形状、寸法にされ、又は方向付けられ、この支持体は中心ノブ及び突き出している突起を有し、これらはそれぞれ錠剤包装の穴及びノッチと互いに補い合う。これにより、錠剤包装は、錠剤包装の指示された錠剤が錠剤ディスペンサーシステムのベース支持体の単一錠剤分配用開口の上方にくる１個の希望方法においてのみベース支持体上に受け入れられる。
【００２７】
本発明は、指示された順序での固形製剤の適量投与用の直感的錠剤ディスペンサーキットであって、
第１の構成要素としての容器；
第２の構成要素として、容器内に装填された円形アレイ内に適量の固形製剤を収容している再充填式キャリヤーであって、再充填可能な特徴を強化するように導入の際に分離して提供される前記再充填式キャリヤー；
第３の構成要素として、再充填式キャリヤーから適量の固形製剤を個別分配するための手段；及び
第４の構成要素として、治療経過に適切でありかつ再充填式キャリヤーに付属した数とレイアウトとが適量の固形製剤に対応し、更に再充填式キャリヤーと揃っている１組の表示
を備えた直感的錠剤ディスペンサーキットも提供される。
【００２８】
【実施例】
さて、本発明の好ましい実施例を詳細に説明することとする。２種の好ましい実施例が付属図面に示され、かつこれら図面及び図中の番号を参照し以下詳細に説明される。
【００２９】
図１−６を参照し、本発明の第１の好ましい実施例が更に詳細に説明されるであろう。図１は、本発明の錠剤分配システムを組み入れた錠剤ディスペンサー１の斜視図である。錠剤ディスペンサー１は、第１の構成要素として、実質的に等間隔に置かれた複数のノッチ１１を有するノッチ付きスカート９により囲まれた実質的に円形の一方向に回転可能なノブ３を備える。回転可能なノブ３は平面２と円筒状の壁４とを備える。円筒状の壁４の部分には回転可能なノブ３の手による握りを助けるために刻み目状パターンの隆起９４が設けられる。回転可能なノブ３は第２の構成要素上に取り付けられ、この構成要素は単一錠剤分配用開口１３を有する実質的に平坦な支持体６、及び平坦支持体６の周囲から延びている立上がり壁８を備えたベース５である。
【００３０】
回転可能なノブ３は、固定された中心軸手段７である第３の構成要素のまわりに組合い手段により平坦支持体に取り付けられ、この中心軸手段は、これのまわりで前記回転可能なノブ３をぐるりと回転させることができる。固定された中心軸手段７は平らな頂部１４を有し、更に尖った突起１７と揃った最適の指針の形状の指示器１５、現在の又は初期の錠剤位置９７、及び回転可能なノブ３の平らな表面２の上に印示された服用相当日１２を備える。
【００３１】
図１に示された錠剤ディスペンサーは、分離しかつ取り出し得る錠剤包装１９である第４の構成要素を備え、この包装は、回転可能なノブ３のノッチ付きスカート９と確実に組み合う手段によりその上に適合するようにされ、従って、この二つの構成要素は一緒に回転する。分離しかつ取出し可能な錠剤包装１９は、固いプラットフォーム２４及び本質的に柔軟なブリスターリング２６を備え、後者の上に錠剤９９が潰れ得る錠剤ポケット２１内に提供される。錠剤包装１９は、複数の潰れ得る錠剤ポケット２１を有し、その各が実質的に包装のまわりにぐるりと配置された錠剤９９を収容し、これにより錠剤ポケット２１の間隔はラチェット手段の各停止に対応し、かつこれにより新しい錠剤９９はラチェット式の回転可能なノブ３の各停止の確実な組合の際に錠剤分配用開口１３の上に置かれる。錠剤ポケット２１は破り得る膜２２（図４に最もよく見られる）により蓋される。この膜はブリスターリング２６に封着されかつ錠剤ポケット２１内の錠剤９９と単一錠剤分配用開口１３との間に差し込まれる。かなり固い又は剛のプラットフォーム２４は複数の錠剤孔２３を備え、これらは実質的に各錠剤ポケット２１と揃えられる。（図４に見られるように）単一錠剤分配用開口１３と揃っている錠剤ポケット２１を潰して、錠剤を強制して破り得る膜２２を破らせて孔２３及び１３を通過させることにより、錠剤９９は錠剤ディスペンサー１から分配される。固いプラットフォーム２４及び柔軟なブリスターリング２６は、接合手段（例えば、接着剤、超音波溶接又はセテーキング）により一緒に保持される。
【００３２】
ベース５は、カップ状の内部空間を形成するように平坦部分６から延びている上昇壁８を有し、この空間内に回転可能なノブ３と錠剤包装１９とが収容される。ベース５は、上昇壁部分８から中心軸手段７に向かって突き出している少なくも２個の内向きに延びている突起１６を備える。突起１６の形状と方向とは、錠剤包装１９の平坦支持体６上への受容を許す錠剤包装１９上の少なくも２個の相補的な凹所１８に対応し、これにより指定の第１の錠剤９７が、尖った突起１７により指示された最初の又は現在の錠剤位置９８において錠剤分配用開口１３の上方に位置決めされる。尖った突起１７は突起１６と共同作用して、錠剤包装１９を平坦支持体６上に受け入れるように錠剤包装１９の対応凹所２０及び１８と一致させることができる。日付けのある回転可能なノブ３の１段階前進の際に錠剤包装１９はベース５と組み合い、これにより固いプラットフォーム２４の一部分が内向きに延びている突起１６及び１７の下に重なる。ノブ３の完全な１回転が錠剤包装１９を最初の錠剤位置９８に戻すまでは、錠剤包装は分離できず又は取り出せない。図３を参照して以下なお完全に説明されるように、尖った突起１７の直径方向反対側に指レバー３２が設けられる。
【００３３】
この錠剤包装は更にカバー１０１を備え、これは、特にベースとカバーの材料が光の劣化可能波長を濾波しかつディスペンサー内容物を通常の使用で考えられる物理的損傷から保護するような密度でありかつ不透明のものである場合に、ベース５と共にディスペンサー内容物を衝撃による損傷及び光による劣化から保護する。ラッチストラット１０３がカバー１０１からベース５に向かって延びる。ラッチストラット１０３は、内向きフック１３１と外向きレバー１３２とを備える。カバー１０１がベース５の上に閉じられると、ラッチストラット１０３はラッチの座の開口１３３を通ってラッチの座１０５の下の凹所内に入り、内向きフック１３１がラッチの座１０５の底面の下に嵌まり込み、外向きレバー１３２がラッチの座の頂面に当たる。ラッチの座１０５は、ラッチレバー１３５がベースから突き出るようにトーションアーム１３４によりベース５に連結される。ディスペンサーを開くには、ラッチレバー１３５を上向きに強制し、これにより外向きレバー１３２を持ち上げ、同時に座の開口１３３を回して内向きフック１３１から外し、カバーをばねで少し開かせる。
【００３４】
図２は、カバー１０１が平坦支持体６の上方でベース５上に閉じられた閉鎖位置にあるときの錠剤ディスペンサー１の側面図である。
【００３５】
図３はディスペンサーベース５のカップ状支持部分を平面図であり、ブリスターリング２６は一部切り取られ、上の図１に説明された多くの構成要素を示している。現在の錠剤分配位置９７にある錠剤包装１９のノッチ２０により、錠剤包装を尖った指示用突起１７の上方に置くことができる。回転可能なノブ３の頂部には、１週間７日で４週間分の繰返し又は２８日分の投薬期間１２がマークされる。ラチェットばねの爪１０が回転可能なノブ３の縁に点線で示される。固定中心軸７の頂部に選択的な日付け指示器１５が置かれ、現在の薬品分配位置９７における現在の日１２を示し、かつ尖った指示器１７と揃う。
【００３６】
回転可能なノブ３は、ノッチ付きスカート９と円筒状の壁４により連結された平坦な頂面２とを持つ。平坦な頂面２には、錠剤ポケット２１の数に相当した数の投薬日１２が、錠剤ポケット２１に配置された錠剤９９及びラチェット位置（図示せず）の双方と揃うようにして印字される。錠剤ポケット２１とその中に配置された錠剤９９とは、これらが中断なしで連続して時計方向に進むように順序付けられる。ノッチ付きスカート９は薬品位置に対応した数であってかつ同様にラチェットシステム及び錠剤９９と揃えられたノッチ１１により縁取られる。錠剤包装１９のスプロケットラグ１１０がノッチ付きスカート９のノッチ１１と組み合って示される。スプロケットラグ１１０のこの組合が、錠剤包装１９と回転可能なノブ３のノッチ付きスカート９とを組み合わせて一緒に回転させる。
【００３７】
平坦支持体６の上昇壁部分８に保持用ラグ３１が付随し、これは、錠剤包装が錠剤ディスペンサー１に差し込まれたときに錠剤包装１９の上に張り出して、突起１６と凹所１８とが整列した装填位置に対する安全性を増加させる。平坦支持体６の上昇壁部分８にはスロット３４が設けられ、これにより、錠剤包装１９が定位置に押し込まれたとき、保持用ラグ３１の関節作用を許す。錠剤包装の取出しを容易にするために指レバー３２が設けられる。
【００３８】
図４は図３の線４−４に沿って得られた断面図であり、閉鎖位置における錠剤ディスペンサーを示す。ヒンジストラット１４０の第１の対がカバーから吊り下がり、上昇壁部分８に取り付けられたヒンジストラット１４０の第２の対の間に入り、ピン１０９が２対のヒンジストラットの４個の揃えられた穴１０８内にねじ込まれると、カバーとベースとの間のヒンジを形成する。カバー１０１は、ベース５と共に、ディスペンサー内容物を衝撃による損傷及び光による劣化から保護する作用を行い、かつこれらの各は囲まれた容積のほぼ半分のカップ状に形成される。ストラット１０３と座１０５とを有するラッチ手段は組み合わせられ固定された状態にある。
【００３９】
図５は図３の線４−４に沿って得られた分解図であり、錠剤ディスペンサーが閉鎖位置にあるとして示される。中心軸部分７を含んだベース挿入体５ｂは、ベースユニット５ａの摩擦ジャケット５１とベース挿入体ユニット５ｂの摩擦ポスト５３とによりベースユニット５ａ内にスナップ適合される。ノッチ付きスカート９のノッチ１１の内側部分が錠剤包装１９の複数の付き出たラグ１１０と組み合い、このように組み合ったときは、回転可能なノブ３が動くと錠剤包装１９が動き、こうして錠剤包装１９を回転させ、この中に収容された錠剤９９はディスペンサーをまわる錠剤の円形路に沿って動き、次いでラチェット式の回転可能なノブ３の各ラチェット停止の際、個々の錠剤９９を錠剤分配用開口１３の上方に配備する。ベース挿入体５ｂはラチェットばね爪１０も備え、この爪は対称軸のまわりに円周方向に位置決めされて対称的に配置され、かつ時計方向に上昇しつつ床面から上方に接線方向に傾いている。対称軸上に中心を置き持ち上げられた構造が、３個の柔軟な保持器ストラット８７により回転可能なノブ３を回転可能に連結するための固定中心軸手段７を提供する。この保持器ストラットは回転可能なノブ３の内径上の保持用突起８８の上に重なる。保持器ストラット８７及び突起８８は、回転可能な組立体を形成する組立中及びその後における回転可能なノブ３のバイパスを許す。
【００４０】
ノッチ付きスカート９の底部は円形のラチェット軌道８１を有し、この軌道には、日付け１２、錠剤９９及びベース開口１３に揃えられた錠剤ポケット２１の数に相当する数の時計方向に傾いている垂直方向斜面８３がある。時計方向に傾いている垂直方向斜面８３はベースのラチェットばね爪の上に乗り、これを押し下げかつこれと組み合って、ベース開口１３上の錠剤９９の反時計方向の戻りを防ぎながら錠剤を順に日付け１２と揃えて個別的位置決めを行う。
【００４１】
本発明の錠剤ディスペンサーは以下のように作動し得る。図１及び３参照。錠剤ディスペンサー１を錠剤包装１９で満たすために、使用者は回転可能なノブ３を回して現在の曜日又は希望の開始曜日又は最初の曜日１１２を尖った突起１７及び先端状の指示器１５に揃える。次いで、使用者は、錠剤包装１９の凹所１８とベース５の延びている対応突起１６とを揃え、尖った突起１７と対応凹所２０とを揃え、更にベース５と保持用ラグ３１との上に錠剤包装１９を適合させることにより錠剤包装１９をベース５上に置く。錠剤包装１９を保持用ラグ３１上及びベース５内に押し付けて、錠剤包装１９を差し込む。これにより、錠剤包装１９のスプロケットラグ１１０が、回転運動のためにノッチ付きスカート９と組み合うように向けられる。第１の錠剤９９を使用した後で、使用者は、取り上げるべき第２の錠剤がある第２の曜日を示している特定のマーク１２を指示器１７と揃える（これが特定の日に対応した錠剤を平坦支持体６の開口１３と揃えさせる）ように回転可能なノブ３を回転させる。次の錠剤９９を取り出すときは、使用者は潰れ得るポケット２１を下方に押して錠剤９９に破り得る膜２２を破らせ、プラットフォーム２４のその対応した錠剤開口２３を通過させ、次いでその後の収集のために平坦支持体６の開口１３を通過させる。使用者からは見えない爪１０と共同作用しているラチェット軌道８１が回転を制御し、各錠剤は開口の上方を順次通過してこれと揃えられる。錠剤の供給がなくなるまでこの手順が続けられ、錠剤がなくなると、使用者は、空の錠剤包装を単に持ち上げて外し、これを錠剤が完全に詰められた新しい錠剤包装と置き換えるだけで錠剤ディスペンサーを再充填できる。
【００４２】
図６−１３を参照し、本発明の第２の好ましい実施例が詳細に説明されるであろう。
【００４３】
図６は閉鎖位置にありカバー２０２が平坦支持体２０１の頂部に座っている錠剤ディスペンサー２００を示す。
【００４４】
図７は錠剤ディスペンサー２００と円形の錠剤包装２０５とを備えた錠剤ディスペンサーシステムを示す。錠剤ディスペンサーは、平坦支持体２０１、カバー２０２、及び回転可能なノブの旋回中心軸線を与える旋回軸２０４により平坦支持体上に回転可能に固定される。回転可能なノブ２０３を備える。カバー及びベースはヒンジ２０６において連結される。ヒンジ構造の詳細説明は先の説明と同じである。円形の錠剤包装２０５は（特に示された）２８個の数で図示された錠剤又はピル２０７の組又はキットを含む。装填時には、ノブに加えられたトルクが円形の錠剤包装の各錠剤２０７を平坦支持体２０１内に設けられた錠剤分配用開口２０８の上方に回転させるように、円形錠剤包装が回転可能なノブに連結され、これにより選定された錠剤を錠剤ディスペンサーから押し出す手段を提供する。
【００４５】
図８の分解図においては、平坦支持体２０１は、これに立てられた周囲壁部分２０９を境界とする。平坦支持体の中心に円筒状の壁部分２１０が取り付けられる。旋回軸２０４は、支持手段を提供する円筒状のストーク２１２の上に重なって取り付けられた平面２１１を備える。この重なり部が図１０に最もよく示される底面２２３を定め、これが円形のラチェット軌道２２４のためのベースを形成する。ストーク２１２の外径は、円筒状の壁部分２１０に組み合わせられたとき、この部分の内面２４７と摩擦掛合をするような寸法のものである。組み合わせられたときにストーク２１２のベースの４個のスロット２１４内に置かれる円筒状壁部分２１０から内向きに延びている４個の対応する半径方向の翼２１３により、旋回軸のための方向付け手段が提供される。組立時に、スロットを定位置に案内するために、スロットに面取り２１５が設けられる。ストーク２１２上の円周方向の波形及びこれに対応して置かれた内面２４７上の彫られた波形２１７により固定用手段が与えられる。旋回軸２０４が円筒状壁部分２１０内に押し込まれたとき向かい合った波形の組が互いに組み合い、この組をバイパスさせる。
【００４６】
平坦支持体の周囲壁部分２０９が、２個の丸みの付けられた突起２２５及び尖った突起２２６を支持し、これらの総ては下方に隙間を持って内向きに延びる。開口２０８に隣接して位置決めされた先端付きの突起は、円形錠剤包装２０５の装填中及び装填後に開口の位置を示すための手段を提供する。周囲壁部分２０９は壁のスロット部分（図示せず）に取り付けられた保持用ラグ２２７も支持し、このラグは錠剤包装２０５の装填後にこれを保持するために装填中に錠剤包装上にスナップ止めされる。保持用ラグ２２７は、図９に最もよく示された突起部分２２８と傾斜面部分（図示せず）とを有し、前者は平坦支持体上に適正に置かれた錠剤包装を保持する機能を有し、後者は装填中に構造を脇によせるための手段を提供する。周囲壁部分２０９の外面には、ヒンジ２０６とは直径方向反対側に置かれたラッチ凹所２２９があり、これは、図９に最もよく示されたカバーのラッチ用ラグ２３０と共同作用して、錠剤ディスペンサーが閉じられたときのラッチ用手段を提供する。
【００４７】
回転可能なノブ２０３は、外側円筒壁２４９により支持されかつ中心円孔２１８を有する頂面２４８を持つ。中心円孔は、旋回軸の平らな頂面２１１が頂面２１６の内径から下方に延びている内部円筒壁２１９を境界とする凹所２４６内に入れられたとき、旋回軸ストーク２１２を囲むに十分な寸法のものである。凹所２４６の床を定めている内部円筒壁の底端部から内向きに４個のばね爪２２０が延びる。このばね爪は、４個のラチェット爪２２２で終わる４個の弧状配置されたばねアーム２２１を備え、一方、ラチェット爪は、ラチェット軌道２２４に対応する共通円上のベース点からばねアームにより片持ち式に上向きに押される（図１０参照）。回転可能なノブ２０３の中心円孔２１８を通過している平坦支持体２０１の円筒壁部分２１０内に旋回軸２０４が座り、これにより平坦支持体との連結手段を提供するとき、ラチェット爪２２２はラチェット軌道２２４に適合し、これにより回転可能なノブの間欠式一方向前進用の手段を形成する。爪と軌道とは、図１１に最もよく示されるように、ラチェット停止を定める停止位置を持つ。爪の摺動面２３２が回転可能なノブ２０３の時計方向前進を与え、当たり面２２３が反時計方向の運動を限定する。ラチェット停止の数は処方の錠剤２０７の数に相当する。ラチェット停止は、半径方向の翼２１３により、平坦支持体２０１、特に分配用開口２０８と一定に揃えられる。構成要素の相互位置は図９の断面図に最もよく示される。
【００４８】
ノッチ付きスカート２３１が外側円筒壁２４９の底端部から外向きに延びる。ノッチもまた錠剤包装２０５の錠剤２０７の数に対応し、かつばね爪２２０によりラチェット軌道２２４の停止部（図１０）及び分配用開口２０８と連携して揃えて組み合わせられる。曜日のような周期的表示２５１が、ラチェット軌道の停止部と一致して回転可能なノブ２０３の平面２４８の頂部に印字され又は刻まれる。表示マーク２３３が、分配用開口２０８と一定の関係で旋回軸２０４の平面２１１上に同様に印字され又は刻まれ、周期的な表示と協同して、開口に相当したラチェット位置を名称（例えば曜日）で表示する手段を提供する。回転可能なノブ２０３の頂部外側の縁に刻み目２３４が形成され、これにより手でノブにトルクを加えるときの握り用の手段を提供する。
【００４９】
円形錠剤包装２０５は錠剤ハウジング２３５及び固い骨格構造２３６を備える。錠剤ハウジングは熱成型されたＰＶＣフィルムのような潰れ得る錠剤ポケット２３７を有する柔軟な材料層と下側に封着されたアルミニウム箔のような破り得る蓋との間に錠剤２０７を収容する。錠剤ハウジング２３５はドーナッツ状に作られ、内径近くに２個の案内穴２３８が鑽孔される。組立中、案内穴は固い骨格構造２３６上のラグ２４０に取り付けられたポスト２３９の上に掛けられる。次いで、ポストはリベット状に折り返され、これにより固い骨格構造と錠剤ハウジング２３５とを一体化し、錠剤包装２０５の完成品を形成する。使用後は、材料のリサイクルの目的で、強固な骨格構造から錠剤ハウジングを引き離し弱いネック部２４１においてラグ２４０の連結用構造を壊すことにより、使用済みの錠剤ハウジングを固い骨格構造から剥ぎ取ることができる。これらは錠剤ハウジング２３５と組み合わせられたままのときは丈夫である。強固な骨格構造２３６は、錠剤の数に対応した数の開口であってかつ案内ポスト２３８により方向を決められたとき錠剤ハウジング２３５の潰れ得る錠剤ポケット２３７の各の下方にくるように配列された開口２４２を持つ。錠剤２０７は、潰れ得る錠剤ポケットに指圧を加えて錠剤２０７を強制して破り得るフィルムと支持用構造とを通過させることにより分配される。
【００５０】
円形錠剤包装２０５に、２個の丸みのある切取り部２４３と尖った切取り部２４４とが設けられ、これらはそれぞれ大きさ、形状及び配置状態が平坦支持体２０１の丸みのある突起２２５と尖った突起２２６とに相補的である。尖った切取り部２４４は処方に示された第１の錠剤に相当する。切取り部２４３及び２４４は、突起２２５及び２２６と協同して、円形の錠剤包装２０５の唯一の初期方向においてのみの錠剤ディスペンサー２００内への装填を許し、これにより分配用の開口２０８に指定された第１の錠剤を最初の分配のために供給する。回転可能なノブ２０３のノッチ付きスカート２３１と組み合うように相補的な形状にされた強固な骨格構造２３６のラグ２４０により連結用手段が提供される。回転可能なノブの回転により次の錠剤が開口２０８に進められると、強固な骨格構造２３６の周囲レール２４５が下方の隙間を横切ることにより突起２２５と２２６との下方を通過し、これにより錠剤ディスペンサー２００内から円形錠剤包装２０５が出ないようにする。切取り部と突起との配置又は形状は装填位置においてのみ適合できるため、前進が１周を完了して最初の位置に戻るまでは上記の配列が維持される。最初の位置に戻ると、円形錠剤包装２０５は、これを取り出すことができ、錠剤ディスペンサー２００は、新しい錠剤包装により装填された新しい錠剤で再びこれを満たすことができる。
【００５１】
図１２は、本発明の錠剤ディスペンサーへの挿入に適した錠剤包装（再充填されたユニット）の斜視図であり、錠剤包装プラットフォームを示すためにブリスターリングが切り取られた図である。
【００５２】
図１３及び１４は、錠剤の入ったブリスターリングを上に取り付け得る錠剤包装プラットフォームの斜視図である。実質的に円形のプラットフォームは、ラグ２４０の取り付けられた内径上のポスト２３９を有する強固な骨格構造２３６である。ラグ２４０は弱いネック部２４１の手段により強固な骨格構造２３６に連結される。強固な骨格構造２３６は錠剤の通過用の開口２４２及び錠剤ディスペンサーの突起に対応して作られて錠剤包装を錠剤分配用システム内に確実かつ正確に位置決めするための切取り部又はスロット２４３と２４４とを持つ。
【００５３】
錠剤ディスペンサーの構成要素の材料は、一般にディスペンサーの機能による選択及び置換の余地があるが、回転可能なノブ、中心軸手段、支持ベース、強固なプラットフォーム及びカバーはプラスチックで作られることが好ましい。汎用ポリスチレンのようなプラスチック材料が、ディスペンサーの継続的、頻繁かつ繰返しの使用に十分な剛性と耐久性とを与えつつ所望の形状に通常に射出成型される。カバー、ベース、及び日付け要素は高衝撃ポリスチレン（ＨＩＰＳ）で射出成型される。曜日は頂部の日付け面に印字され、指示マーク１５は印字により同様に目立たせられる。印字方法はホットスタンプによるか又はパッドプリントによるかのどちらかである。これら３種の構成要素は、これらをユニットとして下組立し供給することができる。少し前に言及したように、錠剤のブリスター包装１９はプラスチック製の潰れ得るポケットであり、錠剤が入る限り、ディスペンサーは使用者の手のひら内に適合するに十分に小型であることが好ましい。典型的には、内部に２８個の開口を有する円形プラットフォームの直径は、約７.６cm（３.０インチ）である。ただし支持体はこれより少し大きい。
【００５４】
再充填用複合体は中間衝撃強さのポリスチレン（ＭＩＰＳ）の射出成型されたプラットフォーム、及び錠剤を入れているブリスターユニットよりなる。プラットフォームとブリスターとは一定の向きで互いに接合される。ブリスターはポリ塩化ビニル（ＰＶＣ）フィルムとすることができ、これを、公知の製造方法に従って、錠剤を受け入れるために凹所を熱成型した後でアルミニウム箔の蓋と層にし、次いでウェブから積層体を打ち抜く。
【００５５】
以上により、錠剤又は同様な固形医薬製剤を指示された時に分配し、これによりその使用者が錠剤を服用すべき時を明らかに示し、かかる医薬製剤の服用及び処方された投薬指示に伴う可能性のある不明確さと混乱とをなくす錠剤ディスペンサーが提供された。
【００５６】
本発明の範囲は、この説明、例示及び提言された用途により限定されず、かつ本発明の意図された範囲及び精神から離れることなく変更することができる。例えば、冷却又は衝撃に対する抵抗がより大きい包装を作るための追加の固定用機構、或いは包装のエンボス又は彩色を含んだ追加の美的特徴を含んだその他の構成要素を加えることができる。ディスペンサーは、日付けノブ上への粘着ラベルの貼付により、別の言語又は別の投薬周期の日付けを容易に設けることができる。ディスペンサーは、曜日に加えて午前又は午後のマークを付けることにより１日２回の服用指示に適合させることができる。更に、錠剤ディスペンサーベースの突起及び錠剤包装の凹所を、ベースに長い空洞を設けてこの中にノッチ付き錠剤包装を受け入れることにより置き換えることができる。本発明はビタミン剤、ミネラル又はその他の栄養剤用のディスペンサーを提供するためにも使用することができる。
【００５７】
以上の説明のように、医薬用に対する本発明のディスペンサーは、熟練技術者に現在も知られかつ予期されるように、いかなる診療、医学及び薬学的の方法及び技術にも応用できる。従って、本発明は、特許請求の範囲及びその相当事項内に属する本発明の変化及び変更を含むことが意図される。
【００５８】
本発明の実施態様は次の通りである。
【００５９】
１．第１の構成要素としての周期的な表示を有する回転可能な実質的に円形の一方向ノブであって、回転可能なノブが実質的に等間隔にされた複数のノッチを有するノッチ付きスカートで囲まれ、前記回転可能なノブは複数のラチェット停止部のあるラチェット軌道を有しこれにより前記ラチェット停止部の各確実な組合がノッチ付きスカートの各ノッチの１個の空間に相当する一方向ラチェット手段を有する前記回転可能なノブ；
第２の構成要素としての、単一錠剤分配用開口と内部のカップ部分を形成するようにここから突き出ている上昇壁部分とを有する実質的に平坦な支持体であって、前記回転可能なノブを前記平坦支持体に回転可能に連結する第１の組合用手段、前記回転可能なノブが円形状に回転する中心の固定中心軸手段、及び前記一方向ラチェット手段が挿入されてこれと共に機能的システムを形成する第２の組合用手段を有する実質的に平坦な支持部；及び
ノッチ付きスカートと確実に組み合う手段により回転可能なノブ上に適合するようにされた分離しかつ除去可能な錠剤包装である第３の構成要素であって２個の構成要素は調和して回転し、前記錠剤包装は複数の潰れ得る錠剤ポケットを有しその各が包装のまわりに実質的に円形に配置された錠剤を収容しこれにより錠剤ポケットの間隔はラチェット手段の各段階に相当し、これによりラチェット式の回転可能なノブの各段階の確実な組合ごとに新しい錠剤が錠剤分配用開口の上方に置かれ、前記錠剤包装は前記ポケットと支持体の単一錠剤分配用開口との間に挿入された破り得る膜により覆われ、これにより前記開口と揃ったポケットを潰すことにより前記錠剤を強制して前記膜を破らせかつ前記開口を通過させることにより錠剤が包装から分配される錠剤包装
を備えた錠剤ディスペンサー構成要素システム。
【００６０】
２．実質的に平坦な支持体及びここから立ち上がっている壁部分によりこの上に形成された内部カップ部分に、固定中心軸及び回転可能なノブのまわりの実質的に円形の経路内に錠剤包装を支持しかつ一方向ラチェット式の回転可能なノブの第１段階の組合の際に定位置の錠剤包装と組み合う手段が設けられ、これによりラチェット式の回転可能なノブの完全な１回転が完了したときに錠剤包装を支持手段から外すことができる実施態様１の錠剤ディスペンサーシステム。
【００６１】
３．回転可能なノブが固定中心軸のまわりを時計方向で１方向に回転し得る日付けリングを備えかつノッチ付きスカートが回転可能なノブの周囲に取り付けられる実施態様２の錠剤ディスペンサーシステム。
【００６２】
４．固定中心軸が平坦な支持要素の単一錠剤分配用開口に揃えられた表示マークを有する実施態様３の錠剤ディスペンサーシステム。
【００６３】
５．ノッチ付きスカートと確実に組み合うための手段は、回転可能なノブ上に適合したときにノッチ付きスカートの少なくも２個のノッチと確実に組み合う少なくも２個の相補的な突起を備える実施態様１の錠剤ディスペンサーシステム。
【００６４】
６．潰れ得る錠剤ポケットが実質的に円形、非円形又はキャプレット状の錠剤を受け入れるように形成された実施態様１の錠剤ディスペンサーシステム。
【００６５】
７．実質的に平坦な支持体が上昇壁部分から突き出している少なくも２個の内向きに伸びた突起の設置により錠剤包装を受け入れかつこれと組み合うようにされ、これにより錠剤包装の少なくも２個の相補的な凹所に相当した前記突起の形状と方向とが、平坦支持体のまわりの錠剤の方向の１個の初期位置における前記錠剤包装の平坦支持体上への受入れを許し、これにより指定された錠剤が初期錠剤位置の錠剤分配用開口の上方に置かれかつ回転可能な日付けノブが１段前進すると前記突起との重なりにより錠剤包装が重ね合わせられ；これによりノブの完全な１回転により錠剤包装が最初の錠剤位置に戻されるまでは前記錠剤包装を外し又は取り出すことができない実施態様１の錠剤ディスペンサーシステム。
【００６６】
８．内向きに伸びている突起は、初期錠剤位置以外の総ての位置における実質的に平坦な支持体への包装の受け入れ、及び実質的に平坦な支持体からの錠剤包装の取外し、排出又は除去を阻止するように空間的に並べられる実施態様７の錠剤ディスペンサーシステム。
【００６７】
９．内向きに伸びている突起は、最初の錠剤位置においてのみ相補的なノッチ付き錠剤包装を受け入れ又は外すように形状又は寸法が決められる実施態様７の錠剤ディスペンサーシステム。
【００６８】
１０．回転可能なノブには少なくも１週間７日分のマークが付けられ、前記マークの各は、回転可能なノブの確実な組合段階の各前進ごとに平坦支持体の単一錠剤分配用開口の上方に指示曜日に相当する１個の錠剤を提供するように平坦支持体に組み合わせられたとき示された曜日に相当する錠剤包装の１個の錠剤位置に向けられる実施態様１の錠剤ディスペンサーシステム。
【００６９】
１１．回転可能な日付けノブに、ラチェットの段階との１対１対応の順序付けられた日付けがあるように、更に支持マークに関するノブの適宜の設定が包装用の事前決定の開始日設定を構成するように、回転可能なノブ上の少なくも１組の７種の像で曜日を構成している周期的手段が設けられる実施態様１の錠剤ディスペンサーシステム。
【００７０】
１２．内向きに伸びている突起の特別な列が非対称的である実施態様８の錠剤ディスペンサーシステム。
【００７１】
１３．回転可能なノブに少なくも１週間分の曜日がマークされ、平坦支持体と組み合わせられたときに前記マークの各は指示された曜日に相当する錠剤包装の１個の錠剤位置に向けられ、回転可能なノブの確実な組合段階の各前進ごとに平坦支持体の単一錠剤分配用開口の上方に指示された曜日に相当する１個の錠剤を提供する実施態様７の錠剤ディスペンサーシステム。
【００７２】
１４．回転可能なノブに少なくも１週間分の曜日がマークされ、平坦支持体と組み合わせられたときに前記マークの各は指示された曜日に相当する錠剤包装の１個の錠剤位置に向けられ、回転可能なノブの確実な組合段階の各前進ごとに平坦支持体の単一錠剤分配用開口の上方に指示された曜日に相当する１個の錠剤を提供する実施態様８の錠剤ディスペンサーシステム。
【００７３】
１５．回転可能なノブに少なくも１週間分の曜日がマークされ、平坦支持体と組み合わせられたときに前記マークの各は指示された曜日に相当する錠剤包装の１個の錠剤位置に向けられ、回転可能なノブの確実な組合段階の各前進ごとに平坦支持体の単一錠剤分配用開口の上方に指示された曜日に相当する１個の錠剤を提供する実施態様９の錠剤ディスペンサーシステム。
【００７４】
１６．閉鎖された小型包装を提供するために蓋部分を更に備えた実施態様１の錠剤ディスペンサーシステム。
【００７５】
１７．蓋及び支持体が小型包装を閉鎖状態に組み合わせる組合用手段を備える実施態様１６の錠剤ディスペンサーシステム。
【００７６】
１８．実施態様１の錠剤ディスペンサーシステム及び経口避妊錠剤を備えた経口避妊薬投与用の錠剤ディスペンサーキット。
【００７７】
１９．実施態様２の錠剤ディスペンサーシステム及び経口避妊錠剤を備えた経口避妊薬投与用の錠剤ディスペンサーキット。
【００７８】
２０．実施態様７の錠剤ディスペンサーシステム及び経口避妊錠剤を備えた経口避妊薬投与用の錠剤ディスペンサーキット。
【００７９】
２１．実施態様１０の錠剤ディスペンサーシステム及び経口避妊錠剤を備えた経口避妊薬投与用の錠剤ディスペンサーキット。
【００８０】
２２．実施態様１０の錠剤ディスペンサーシステムの利用を含んだ医用錠剤の投与方法であって、内部に配置された錠剤、及び各錠剤位置への曜日の方向付けが指示された処方に適合する方法。
【００８１】
２３．指示された処方が経口避妊又はホルモン補欠治療を提供する実施態様２２の方法。
【００８２】
２４．実施態様１の錠剤ディスペンサーシステム内に受け入れられかつ使用されるようにされた錠剤包装。
【００８３】
２５．実施態様７の錠剤ディスペンサーシステム内に受け入れられかつ使用されるようにされた錠剤包装。
【００８４】
２６．錠剤包装の少なくも２個の凹所と実質的に平坦な支持体の上昇壁部分から突き出している少なくも２個の相補的な内向きに伸びている突起とを揃え、その後で前記錠剤包装を実質的に平坦な支持体上に置く諸段階を更に備えた実施態様７の錠剤ディスペンサーシステムの充填方法。
【００８５】
２７．錠剤包装の少なくも２個の凹所と実質的に平坦な支持体の上昇壁部分から突き出している少なくも２個の相補的な内向きに伸びている突起とを揃え、その後で前記錠剤包装を実質的に平坦な支持体上に置く諸段階を更に備えた実施態様８の錠剤ディスペンサーシステムの充填方法。
【００８６】
２８．錠剤包装の少なくも２個の凹所と実質的に平坦な支持体の上昇壁部分から突き出している少なくも２個の相補的な内向きに伸びている突起とを揃え、その後で前記錠剤包装を実質的に平坦な支持体上に置く諸段階を更に備えた実施態様９の錠剤ディスペンサーシステムの充填方法。
【００８７】
２９．曜日のマークの付けられた回転可能なノブを希望の開始曜日が初期錠剤位置と揃うように回転させ；錠剤包装の少なくも２個の相補的な凹所と実質的に平坦な支持体の上昇壁部分から突き出した少なくも２個の内向きに伸びている突起とを揃え；更に前記錠剤包装を実質的に平坦な支持体の上に置く諸段階を含んだ実施態様１３の錠剤ディスペンサーシステムを充填する方法。
【００８８】
３０．曜日のマークの付けられた回転可能なノブを希望の開始曜日が初期錠剤位置でと揃うように回転させ；錠剤包装の少なくも２個の相補的な凹所と実質的に平坦な支持体の上昇壁部分から突き出した少なくも２個の内向きに伸びている突起とを揃え、更に前記錠剤包装を実質的に平坦な支持体の上に置く諸段階を含んだ実施態様１４の錠剤ディスペンサーシステムを充填する方法。
【００８９】
３１．曜日のマークの付けられた回転可能なノブを希望の開始曜日が初期錠剤位置でと揃うように回転させ；錠剤包装の少なくも２個の相補的な凹所と実質的に平坦な支持体の上昇壁部分から突き出した少なくも２個の内向きに伸びている突起とを揃え；更に前記錠剤包装を実質的に平坦な支持体の上に置く諸段階を含んだ実施態様１５の錠剤ディスペンサーシステムを充填する方法。
【００９０】
３２．初期錠剤位置に置かれた最初の錠剤を分配し、錠剤ディスペンサー内の錠剤包装と確実に組み合うために回転可能なノブを翌日に１段階回転させ、これにより回転可能なノブの全１回転が完了するまで包装の外れを阻止する継続諸段階を更に含んだ実施態様２８の充填方法。
【００９１】
３３．複数の順次配列された潰れ得る円形の錠剤ポケットを有し、その各が実質的に円形に包装のまわりに配列された錠剤及びリング状円形包装の内周又は外周のいずれかのまわりの少なくも２個の非対称に間隔を空けられたノッチを有する円形の錠剤包装；
内部の単一錠剤分配用開口、及び確実な組合のただ１カ所においてのみ錠剤包装を受け入れるように形状、寸法又は方向が定められた少なくも２個の突起を備え、これにより錠剤包装の指示された錠剤が単一錠剤分配用開口の上方に提供されるベース支持体；
ベース支持体の中心軸部分を回ってベース支持体まわりの円形錠剤包装を回転させ錠剤包装の連続配置された錠剤ポケット内の錠剤を錠剤分配用開口から分配するためにこの開口の上方に置く手段；及び
錠剤包装からの錠剤の最初の分配の際に錠剤包装をベース支持体上に確実に組み合わせかつ錠剤包装のこれに続いた回転が順次配列された次の錠剤ポケットを錠剤分配用開口の上方に位置決めさせる手段
を備えた錠剤ディスペンサー要素システム。
【００９２】
３４．ベース支持体の突起に対応する錠剤包装のノッチの包含により実施態様３３の錠剤ディスペンサーシステム内に設置するようにされた錠剤包装。
【００９３】
３５．錠剤包装の２個の間隔を空けられたノッチが非対称に間隔を空けられる実施態様３３の錠剤ディスペンサー。
【００９４】
３６．互いに非対称に向けられた少なくも２個のノッチ及びノッチに関して相補的に間隔を空けられたベース支持体の少なくも２個の突起の包含により、実施態様３３の錠剤ディスペンサーシステム内に提供されるようにされた錠剤包装。
【００９５】
３７．錠剤包装がその中央の穴及び錠剤ディスペンサーシステムのベース支持体上に置かれるように形状、寸法又は方向が決められたその外周上のノッチを備え、この支持体は錠剤包装の穴とノッチとにそれぞれ相補的である中心ノブと突き出ている突起とを備え、これにより錠剤包装の指示された錠剤を錠剤ディスペンサーシステムのベース支持体の単一錠剤分配用開口の上方に置くただ一つの希望の方向においてのみ錠剤包装が錠剤ディスペンサーシステムのベース支持体上に受け入れられる錠剤ディスペンサーシステム内への装填用の円形の錠剤包装。
【００９６】
３８．錠剤包装のノッチが錠剤ディスペンサーシステムのベース支持体の非対称に間隔を空けられた突起と互いに補足し合うように非対称的に間隔を空けられる実施態様３７の円形錠剤包装。
【００９７】
３９．錠剤ディスペンサーシステムのベース支持体の中心ノブの相補的なノッチ付きスカートと組み合うように中心穴の周囲から内向きに突き出しているラグを更に備えた実施態様３７の円形錠剤包装。
【００９８】
４０．第１の構成要素としての、内部の単一錠剤分配用開口及びコップ状の内部を定めて立っている周囲壁部分を有する平坦支持体；
第２の構成要素としての、平坦支持体の中心に連結され軸を定めている旋回軸、
第３の構成要素としての、錠剤に対応して上部に周期的にマークされた表示のある頂面、回転力を加えるための握り用手段、及び旋回軸を囲むように寸法の決められた中央円孔を有する回転可能なノブ；
第４の構成要素としての、回転可能なノブを平坦支持体に同軸で回転可能に連結するための第１の連結用手段；
第５の構成要素としての、開口と周期的な表示とに一致し対応してノブを軸まわりに間欠的に一方向前進させる手段；
第６の構成要素としての、軸線からの開口の距離に相当した半径方向距離において包装を囲んで円形に配置されかつ回転可能なノブを囲む寸法にされた中央穴を有する破り得る蓋をされた潰れ得る複数の錠剤ポケット内に錠剤を収容しているハウジングを有する円形の錠剤包装；
第７の構成要素としての、錠剤包装を平坦支持体に対して方向を決め、これにより第１の錠剤を開口の上方に置きかつ平坦支持体に対する錠剤包装の方向付けの誤りを防止する手段；及び
第８の構成要素としての、ノブのいかなる初期設定に対しても錠剤包装が平坦支持体上に装填されたときノブに加えられた回転力が錠剤包装に伝達されるように錠剤包装を回転可能なノブに連結するための第２の連結用手段であって、包装に置かれた潰れ得る錠剤ポケットを潰して錠剤が錠剤ディスペンサーから破り得る蓋を通して開口内に通過するように錠剤を強制するときに単数錠剤を分配する目的で、錠剤包装を進めてこれにより処方の各錠剤を対応している周期的な指示の伴う指示された順序で提示させかつ間欠的な一方向前進手段により開口と一致させる方法を提供する前記第２の連結用手段
を備え指定順序で指示の錠剤を分配するための錠剤ディスペンサーシステム。
【００９９】
４１．追加構成要素としての、錠剤包装の装填後に可視状態に留まって開口位置を示しこれにより固定された一致点を与える手段を備えた実施態様４０の錠剤ディスペンサー。
【０１００】
４２．錠剤包装を平坦支持体上でかつ回転可能なノブと連続した連結状態に保持する手段を更に備えた実施態様４０の錠剤ディスペンサーシステム。
【０１０１】
４３．錠剤ディスペンサーを閉鎖するカバーを更に備えた実施態様４０の錠剤ディスペンサーシステム。
【０１０２】
４４．カバーが平坦支持体のヒンジ止めされかつラッチ手段により閉鎖位置に確保される実施態様４３の錠剤ディスペンサーシステム。
【０１０３】
４５．旋回軸が、組立後、回転可能なノブの貫通孔を通って突き出ている支持手段により平坦支持体の上方に持ち上げられた静止した平面を備えた実施態様４１の錠剤ディスペンサーシステム。
【０１０４】
４６．支持手段が旋回軸の静止平面を平坦支持体に、従って指示用手段に方向付けするための手段を有するストークを備え、更にストークを平坦支持体に固定するための手段を有する実施態様４５の錠剤ディスペンサーシステム。
【０１０５】
４７．ストーク固定手段が、平坦支持体にその中心において取り付けられかつ組み立てられたときに回転可能なノブの円孔内に収容される円筒壁部分を備え、円筒壁の内面との摩擦掛合状態で旋回軸ストークを受け入れる実施態様４６の錠剤ディスペンサーシステム。
【０１０６】
４８．ストークの方向付け手段が円筒壁部分から内向きに伸びている複数の半径方向の翼を備え、組み立てられときは前記翼がストークのベースの相補的なスロット内に入る実施態様４７の錠剤ディスペンサーシステム。
【０１０７】
４９．第１の連結用手段が旋回軸の静止平面の底面及び回転可能なノブの頂面の内縁の下方のばね爪と間隔を空けこれにより凹所を形成している第２の内部円筒壁の底部を基底とする複数の時計方向の爪との重なりを備え、第２の内部円筒壁は凹所内に挿入されかつ平坦支持体上に落とされたときにばね爪と旋回軸の静止平面との間の接触点に頂面を持ち上げている本質的に円筒状の外壁により組立体においてこれに関して位置決めされ旋回軸の静止平面を密に囲む実施態様４６の錠剤ディスペンサーシステム。
【０１０８】
５０．回転可能なノブの間欠的な一方向前進のための手段が、上向きの力を出すように一端で固定された複数の時計方向のばね爪を備え、このばね爪は旋回軸の静止平面の底面に形成された通常設計の突起と凹所の形状でかつ周期的表示と指示用手段とに一致する円形の時計方向のラチェット軌道に適合するように配列され、諸構成要素は、ばね爪がばね爪の滑り面上でラチェット軌道の回転により下方に押され、次いでばね爪が突起を通過してラチェット軌道の凹所内にばねで戻され、これにより同時に回転を中断し、回転可能なノブを確実に位置決めし、そしてばね爪の当たり面とラチェット軌道の突起との干渉により反時計方向の推力に対抗するように相互作用する実施態様４９の錠剤ディスペンサーシステム。
【０１０９】
５１．平坦支持体、回転可能なノブ及び旋回軸の組立方法が、平坦支持体の中心に回転可能なノブを置き、旋回軸指向手段により平坦支持体に対する旋回軸の方向を決め、そして旋回軸静止平面を回転可能なノブの第２の内部円筒壁により形成された凹所内に同軸に挿入し、ばね爪を重ね、更にバネ爪とラチェット軌道とが協同作用するようにこの両者を間に置くと共に旋回軸固定用手段により旋回軸を平坦支持体に連結する諸段階を包含する実施態様５０の錠剤ディスペンサーシステム。
【０１１０】
５２．指示用手段が開口位置において旋回軸の静止平面上に置かれたマークを有し、これにより開口位置に周期的に対応する指示器との目視整列を容易にする実施態様４５の錠剤ディスペンサーシステム。
【０１１１】
５３．錠剤包装の指向手段は平坦支持体の周囲壁部分から内向きに伸びている複数の突起を備え、その形状及び位置は突起と相補的な錠剤包装周囲の切取り部と組み合わせられ、突起はその下の錠剤包装の回転のための下方の隙間を有しかつ切取り部と適正に揃わない突起の周囲下方を角度を付けることにより装填の失敗に対して十分に離して置かれ、周囲は突起と切取り部との整列なしの平坦支持体への錠剤包装の強制入来を防ぐに十分な剛性を有し、これにより機構の適正な整列が平坦支持体上への錠剤包装の受入れ、突起と切取り部の対を特別に適合させるための手段の結果として好ましい錠剤の向きの際のみに生ずる突起と切取り部とのバイパスを許す実施態様４１の錠剤ディスペンサーシステム。
【０１１２】
５４．下層を通る錠剤の排出を許すように適切に位置決めされた開口を有し錠剤ハウジングの下にある強固な骨格構造を備えた強化用手段により周囲が補強され、骨格構造が接合手段により錠剤ハウジングに固定される実施態様５３の錠剤ディスペンサーシステム。
【０１１３】
５５．接合手段が、骨格構造から立てられかつ錠剤ハウジングに設けられた案内孔を通して挿入され次いでこれにより組立体に固定するためにリベット状に実質的に折り返される複数のポストを備える実施態様５４の錠剤ディスペンサーシステム。
【０１１４】
５６．突起と切取り部の対を特別に適合させる手段がただ１方向のみの適合しかできないように突起と切取り部との対（複数）用に異なった形状を備える実施態様５３の錠剤ディスペンサーシステム。
【０１１５】
５７．突起と切取り部の対を特別に適合させる手段がただ１方向のみの適合しかできないように突起と切取り部の対（複数）用に異なった寸法を備える実施態様５３の錠剤ディスペンサーシステム。
【０１１６】
５８．突起と切取り部の対を特別に適合させる手段がただ１方向のみの適合しかできないように非対称的の空間配列を備える実施態様５３の錠剤ディスペンサーシステム。
【０１１７】
５９．第２の指示用手段が指示器のような特殊の形状にされ開口の付近に置かれた１個の突起を備える実施態様５３の錠剤ディスペンサーシステム。
【０１１８】
６０．第２の連結用手段が回転可能なノブの基底から外向きに伸びているノッチ付きスカートを備え、間欠的な一方向前進手段及び組み立てられたときに対応ノッチと組み合うように位置決めされた錠剤包装の少なくも１個の相補的な形状にされたラグと揃った同様な切取り部を有する実施態様４０の錠剤ディスペンサー。
【０１１９】
６１．ラグとノッチとが回転可能なノブと錠剤包装とに関して逆にされた実施態様６０の錠剤ディスペンサー。
【０１２０】
６２．ノッチ付きスカートとの確実な連結を確保すると共に組立を容易にするために、直径方向で反対側に置かれたただ２個のラグだけが使用される実施態様６０の錠剤ディスペンサー。
【０１２１】
６３．ラグが弱いネック部により強固な骨格構造に弱く取り付けられ、この骨格構造は錠剤ハウジングの下に置かれ、更にラグに取り付けられかつ錠剤ハウジングの相補的な案内孔を通して挿入された後でリベット状に折り返されこれにより丈夫な組立部を形成しているポストにより連結され、この弱い取付けは、使用済み錠剤ハウジング材料の除去がポスト頭部に加えられた力により弱いネック部を壊し、これによりリサイクルのために材料の分離を行いかつ骨格構造の不正使用を防止するようなものである実施態様６２の錠剤ディスペンサー。
【０１２２】
６４．保持用手段が平坦支持体の周囲壁部分から下方の隙間を有して内向きに伸びている複数の突起を備え、この突起は錠剤包装の周囲の相補的な切取り部に適合しこれにより組立中の特別な方向合わせを提供し、突起は更に初期位置とは別の間欠的一方向前進手段の各位置において錠剤包装の周囲と重なり、突起は平坦支持体の周囲部分のスロット部分から伸びている保持用ラグにより補足され、スロットは出会っている壁構造にばね様の柔軟性を提供するために有用であり、保持用ラグは一方向前進手段の各位置ごとに錠剤ディスペンサーの周囲と重なる突起部分を有し、そして、傾斜面部分は、組立中、錠剤包装の周囲に対して角度を付けられ、これらにより周囲に加えられた下向きの力がスロット付きの壁部分を曲げてこれにより錠剤包装と保持用ラグのバイパスを許し、スロット付き壁部分のばねによる戻りが平坦支持体上への錠剤包装の座りの感触のよい一致及び回転可能なノブとの確実な組合いを与える実施態様４２の錠剤ディスペンサーシステム。
【０１２３】
６５．錠剤包装を錠剤ディスペンサーから外して取り出す方法が、回転可能なノブを最初の位置に合わせ、錠剤包装を保持用ラグとは反対の位置から持ち上げ、これにより突起を通過しそしてディスペンサーから外すようにラグ上方で旋回させる諸段階を包含する実施態様６４の錠剤ディスペンサーシステム。
【０１２４】
６６．使用後に錠剤包装が取り出され、そして新しい錠剤包装が再び補充され、これにより再使用可能なディスペンサーを提供し多数回の再充填の再補充により使用期間を延ばし得る実施態様４０の錠剤ディスペンサーシステム。
【０１２５】
６７．潰れ得る錠剤包装が表面上又は縁に置かれた種々の形状及び寸法の錠剤を受け入れるように形成される実施態様４０の錠剤のディスペンサー。
【０１２６】
６８．周期的表示が曜日である実施態様４１の錠剤のディスペンサー。
【０１２７】
６９．好ましい開始日の選定し装填する方法が、既装填の錠剤の包装を除去し、回転可能なノブを希望日と表示手段と一致するまで回転させ、そして指示された最初の錠剤を希望日に揃えて錠剤包装を平坦支持体上に装填する諸段階を包含する実施態様６８の錠剤ディスペンサー。
【０１２８】
７０．把持用手段が、縁を接近可能な高さに持ち上げる本質的に円筒状の外壁と頂面との交差により形成された縁を含む実施態様４０の錠剤ディスペンサー。
【０１２９】
７１．縁が手の握りを容易にするように刻み目を入れられた実施態様７０の錠剤ディスペンサー。
【０１３０】
７２．指示された順序での固形製剤の適量投与用の直感的錠剤ディスペンサーキットであって、
第１の構成要素としての容器；
第２の構成要素として、容器内に装填された円形アレイ内に適量の固形製剤を収容している再充填式キャリヤーであって、再充填可能な特徴を強化するように導入の際に分離して提供される前記再充填式キャリヤー；
第３の構成要素として、再充填式キャリヤーから適量の固形製剤を個別分配するための手段；及び
第４の構成要素として、治療経過に適切でありかつ再充填式キャリヤーに付属した数とレイアウトとが適量の固形製剤に対応し、更に再充填式キャリヤーと揃っている１組の表示
を備えた直覚的錠剤ディスペンサーキット。
【０１３１】
７３．錠剤ディスペンサーキットの使用に関係する患者、医師又は薬剤師に情報を与えかつ指示する印刷物又はラベルを更に備えた実施態様７２の直感的錠剤ディスペンサーキット。
【０１３２】
７４．複数の再充填式キットが設けられる実施態様７２の直覚的錠剤ディスペンサーキット。
【図面の簡単な説明】
【図１】本発明を組み入れた錠剤ディスペンサーの、ノッチ付きスカートと錠剤プラットフォームとが切り取られた状態の斜視図である。
【図２】閉鎖位置における錠剤ディスペンサーの側面図である。
【図３】ディスペンサーのカップ状の支持部分の、錠剤包装が切り取られた状態の平面図である。
【図４】錠剤ディスペンサーが閉鎖位置において示された図４の断面図である。
【図５】錠剤ディスペンサーが閉鎖位置にあるとして示された図４の分解断面図である。
【図６】本発明を組み入れた錠剤ディスペンサーの閉鎖位置における斜視図である。
【図７】錠剤包装（再充填ユニット）が装填位置にあるときの開口位置における錠剤ディスペンサーの斜視図である。
【図８】錠剤ディスペンサー及び錠剤包装（再充填ユニット）の分解斜視図である。
【図９】図６の線９−９に沿って得られた断面図であり、錠剤ディスペンサーは閉鎖位置において示される。
【図１０】錠剤ディスペンサーのラチェット機構の詳細を示す。
【図１１】錠剤ディスペンサーのラチェット機構の詳細を示す。
【図１２】本発明の錠剤ディスペンサー内に挿入するようにされた錠剤包装（再充填ユニット）の斜視図であり、錠剤包装プラットフォームを示すためにブリスターリングを切り取ってある。
【図１３】錠剤の入っているブリスターリングが取り付けられる錠剤包装プラットフォームの斜視図である。
【図１４】錠剤包装プラットフォームの平面図である。
【符号の説明】
１  錠剤ディスペンサー
３  ノブ
９  スカート
１１  ノッチ
１３  分配用開口
１４  頂点
２１  錠剤ポケット
２４  プラットホーム
９９  錠剤
【図１】
0003687926.tif 000002
【図２】
0003687926.tif 000003
【図３】
0003687926.tif 000004
【図４】
0003687926.tif 000005
【図５】
0003687926.tif 000006
【図６】
0003687926.tif 000007
【図７】
0003687926.tif 000008
【図８】
0003687926.tif 000009
【図９】
0003687926.tif 000010
【図１０】
0003687926.tif 000011
【図１１】
0003687926.tif 000012
【図１２】
0003687926.tif 000013
【図１３】
0003687926.tif 000014
【図１４】
0003687926.tif 000015